(57)【特許請求の範囲】
【請求項１】
商品情報が機械読み取り可能に付された商品と、
所有者ＩＤを含むカード情報が機械読み取り可能に記録されたカードと、
商品の購入者が持ち運びながら購入しようとする商品を入れるためのものであり、購入しようとする商品を入れることにより精算処理を行うための購入品入れであって、所有者ＩＤを含むカード情報が機械読み取り可能に記録されたカードの前記カード情報を読み取るカード情報読み取り手段と、購入しようとする商品を一時的に入れる商品収納手段と、商品情報が機械読み取り可能に付された商品が前記商品収納手段に入れられるときに、前記商品情報を読み取る商品情報読み取り手段と、商品の商品情報に対応するその商品の価格を記憶する商品価格記憶手段と、前記商品情報読み取り手段により読み取られた前記商品情報及び前記商品価格記憶手段に記憶されたその商品情報に対応するその商品の価格に基づいて、購入品の価格を含む購入情報を記憶する購入情報記憶手段と、前記購入情報記憶手段に記憶された前記購入情報を、精算処理を行う外部に伝送する購入情報伝送手段とを備える購入品入れと
を用いた商品購入システムであって、
前記購入情報伝送手段により伝送された前記購入情報を受信する購入情報受信手段と、
前記購入情報受信手段が受信した前記購入情報に基づいて、精算処理を行う精算手段とを備え、
前記購入品入れは、
前記購入品入れが使用されるときに、前記カードを入れておくためのカード挿入手段と、
前記精算手段による精算処理が終了した旨の情報を受信する精算終了情報受信手段と、
前記精算終了情報受信手段が精算処理が終了した旨の情報を受信したときに、前記カード挿入手段に挿入されたカードを返却するカード返却手段とを備えること
を特徴とする商品購入システム。
【請求項２】
請求項１に記載の商品購入システムにおいて、
前記購入品入れは、
前記カード情報読み取り手段により読み取られた前記カード情報を外部に伝送するカード情報伝送手段と、
前記カード情報伝送手段により伝送された前記カード情報に基づいてそのカードの使用が可能であるか否かが判別された判別情報を受信する判別情報受信手段と、
前記判別情報受信手段により受信した前記判別情報がそのカードの使用ができない旨の情報であるときは、その旨を表示する表示手段とを備えること
を特徴とする商品購入システム。
【請求項３】
請求項２に記載の商品購入システムにおいて、
前記購入品入れが使用可能に設置される設置手段と、
前記購入品入れの前記カード情報読み取り手段により前記カード情報が読み取られた後に、前記設置手段からその購入品入れを解放する解放手段とを備え、
前記解放手段は、前記購入品入れの前記判別情報受信手段がそのカードの使用が可能である旨の情報を受信した後に、前記設置手段からその購入品入れを解放すること
を特徴とする商品購入システム。
【請求項４】
請求項１に記載の商品購入システムにおいて、
前記カード返却手段は、前記購入品入れが前記設置手段の所定場所に返却されたときに、前記カードを返却すること
を特徴とする商品購入システム。
【請求項５】
請求項１から請求項４までのいずれか１項に記載の商品購入システムにおいて、
前記設置手段に前記購入品入れが設置されている時に、前記購入品入れの充電を行う充電手段を備えること
を特徴とする商品購入システム。
【請求項６】
請求項１から請求項５までのいずれか１項に記載の商品購入システムにおいて、
前記商品情報は、バーコード又は非接触式ＩＣに記録されていること
を特徴とする商品購入システム。
【請求項７】
請求項１から請求項６までのいずれか１項に記載の商品購入システムにおいて、
前記購入品入れは、カート状であること
を特徴とする商品購入システム。
【発明の詳細な説明】
【０００１】
【発明の属する技術分野】
この発明は、商品の購入者が持ち運びながら購入しようとする商品を入れるための購入品入れを用いた商品購入システムに関するものである。
【０００２】
【従来の技術】
従来、例えばスーパーマーケットにおいて、客が商品を購入するときは、以下のようにして行われる。
客は、購入しようとする商品を買い物かごやカート等に入れ、精算場所（レジカウンター）に持っていく。精算場所では、店員は、商品を確認し、レジスターに価格等を入力する。そして、店員は、商品の合計金額を客に請求し、客は、その金額を支払う。
【０００３】
ここで、今日では、商品の商品コード等（商品情報）を機械読み取り可能に商品に付したバーコード等を用いた方式が知られている。そして、その商品情報に対応する商品の価格をレジスターに記憶しておき、精算場所でその商品のバーコード等を読み取ると、その商品の商品コードや価格等がレジスターに入力されるようになっている。
また、精算を現金で行わずにカードを用いて行う方式が知られている。精算場所にはカード読み取り機が設けられており、そのカードを読み取ることで、精算処理が行われる。プリペイドカードの場合には減額処理を行い、キャッシュカードの場合にはその提携銀行からその価格分を引き落とすようにする。
【０００４】
【発明が解決しようとする課題】
しかし、前述の従来の技術では、客が特定の時間帯や特定の曜日に集中しやすく、精算場所が混雑することが多いという問題があった。このため、前述のような商品価格の入力にバーコード等を用いる方式や、精算にカードを用いた方式を採用しても、精算処理を迅速に行うには一定の限界があった。
【０００５】
本発明の課題は、精算処理を簡略化することにより、精算処理を迅速に行うことにある。
【０００６】
【課題を解決するための手段】
前記課題を解決するために、請求項１の発明は、商品情報が機械読み取り可能に付された商品と、所有者ＩＤを含むカード情報が機械読み取り可能に記録されたカードと、商品の購入者が持ち運びながら購入しようとする商品を入れるためのものであり、購入しようとする商品を入れることにより精算処理を行うための購入品入れであって、所有者ＩＤを含むカード情報が機械読み取り可能に記録されたカードの前記カード情報を読み取るカード情報読み取り手段と、購入しようとする商品を一時的に入れる商品収納手段と、商品情報が機械読み取り可能に付された商品が前記商品収納手段に入れられるときに、前記商品情報を読み取る商品情報読み取り手段と、商品の商品情報に対応するその商品の価格を記憶する商品価格記憶手段と、前記商品情報読み取り手段により読み取られた前記商品情報及び前記商品価格記憶手段に記憶されたその商品情報に対応するその商品の価格に基づいて、購入品の価格を含む購入情報を記憶する購入情報記憶手段と、前記購入情報記憶手段に記憶された前記購入情報を、精算処理を行う外部に伝送する購入情報伝送手段とを備える購入品入れとを用いた商品購入システムであって、前記購入情報伝送手段により伝送された前記購入情報を受信する購入情報受信手段と、前記購入情報受信手段が受信した前記購入情報に基づいて、精算処理を行う精算手段とを備え、前記購入品入れは、前記購入品入れが使用されるときに、前記カードを入れておくためのカード挿入手段と、前記精算手段による精算処理が終了した旨の情報を受信する精算終了情報受信手段と、前記精算終了情報受信手段が精算処理が終了した旨の情報を受信したときに、前記カード挿入手段に挿入されたカードを返却するカード返却手段とを備えることを特徴とする。
【０００７】
請求項２の発明は、請求項１に記載の商品購入システムにおいて、前記購入品入れは 、前記カード情報読み取り手段により読み取られた前記カード情報を外部に伝送するカ  ード情報伝送手段と、前記カード情報伝送手段により伝送された前記カード情報に基づ  いてそのカードの使用が可能であるか否かが判別された判別情報を受信する判別情報受  信手段と、前記判別情報受信手段により受信した前記判別情報がそのカードの使用がで  きない旨の情報であるときは、その旨を表示する表示手段とを備えることを特徴とする  。
【０００８】
請求項３の発明は、請求項２に記載の商品購入システムにおいて、前記購入品入れが使用可能に設置される設置手段と、前記購入品入れの前記カード情報読み取り手段により前記カード情報が読み取られた後に、前記設置手段からその購入品入れを解放する解放手段とを備え、前記解放手段は、前記購入品入れの前記判別情報受信手段がそのカードの使用が可能である旨の情報を受信した後に、前記設置手段からその購入品入れを解放することを特徴とする。
【０００９】
請求項４の発明は、 請求項１に記載の商品購入システムにおいて、前記カード返却手段は、前記購入品入れが前記設置手段の所定場所に返却されたときに、前記カードを返却することを特徴とする。
【００１０】
請求項５の発明は、請求項１から請求項４までのいずれか１項に記載の商品購入システムにおいて、前記設置手段に前記購入品入れが設置されている時に、前記購入品入れの充電を行う充電手段を備えることを特徴とする。
【００１１】
請求項６の発明は、請求項１から請求項５までのいずれか１項に記載の商品購入システムにおいて、前記商品情報は、バーコード又は非接触式ＩＣに記録されていることを特徴とする。
【００１２】
請求項７の発明は、請求項１から請求項６までのいずれか１項に記載の商品購入システムにおいて、前記購入品入れは、カート状であることを特徴とする。
【００１３】
本発明においては、（１）カード情報読み取り手段によりカード情報が読み取られる。また、商品収納手段に購入しようとする商品が入れられると、その商品に付された商品情報が商品情報読み取り手段によって読み取られる。そして、購入情報記憶手段によりその商品情報及び価格等が購入情報として記憶され、購入情報伝送手段により精算処理を行う外部に購入情報が伝送される。また、設置手段に購入品入れが設置されており、その購入品入れによってカード情報が読み取られると、解放手段によって購入品入れが解放される（持ち出しが可能となる）。そして、購入情報受信手段により購入品入れに記憶された購入情報が受信され、精算手段によりその購入情報に基づいて精算処理がなされる。さらに、購入品入れが使用されているときは、カード挿入手段によりカードが挿入されており、精算終了情報受信手段により精算処理が終了した旨の情報が受信されたときに、カード返却手段によってカードが返却される。
【００１４】
（２）読み取られたカード情報がカード情報伝送手段により外部に伝送され、その情報に基づいて使用の可能の可否が判別された情報が判別情報受信手段により受信され、その判別情報がカードの使用ができない旨の情報であるときは、表示手段によりその旨が表示される。
【００１６】
（３）判別情報受信手段によりカードの使用が可能であると判別されたときに、解放手段により購入品入れが解放される。
【００１７】
（４）購入品入れが所定場所に返却されたときに、カード返却手段によってカードが返却される。
（５）充電手段により、設置手段に設置された購入品入れが充電される。
【００１８】
【発明の実施の形態】
以下、図面等を参照して、本発明の一実施形態について説明する。
図１は、本発明に用いられる商品の一実施形態を示す図である。図１のように、各商品（又はその包装）には、その商品の商品情報を機械読み取り可能に記録したバーコード１が設けられている。ここでの商品情報とは、例えばその商品の品名や商品コード等である。
【００１９】
図２は、本発明に用いられるカードの一実施形態を示す図である。カード２は、客が商品の購入時に使用するものであり、従来より金融機関で使用されているようなキャッシュカードと同様のものである。カード２には、磁気記録層である磁気ストライプ２ａが設けられている。磁気ストライプ２ａには、カード２の所有者のＩＤ等が記録されている。
【００２０】
図３は、本発明による購入品入れの一実施形態を示す外観図である。この購入品入れ１０は、従来の買い物かごやカート等と同様に、商品を購入しようとするときに、客（商品の購入者）が持ち運ぶものである。収納部１１は、購入しようとする商品を入れる部分である。
【００２１】
購入品入れ１０の側面部には、精算処理等を行うための精算処理部２０が設けられている。また、購入品入れ１０の底面部には、精算処理部２０を作動させるための電力を供給する電池１２が設けられている。さらに、精算処理部２０の情報を外部に伝送するためのインタフェース部１３が設けられている。
【００２２】
図４は、精算処理部２０の電気的構成を示すブロック図である。精算処理部２０は、その動作を司る制御部（ＣＰＵ）２１と、制御部２１に電気的に接続され、制御部２１により動作されるセンサ２２、カードリーダ２３及びメモリ２４とを備える。また、制御部２１には、上述の電池１２及びインタフェース部１３が電気的に接続されている。
【００２３】
センサ２２は、商品が収納部１１に入れられる時に、その商品に付されたバーコード１を読み取るためのものである。
カードリーダ２３は、カード２の磁気ストライプ２ａに記録されたカード所有差のＩＤ等を読み取るためのものである。
メモリ２４は、商品コードごとの商品の価格を記憶しておくとともに、購入された商品の情報を一時的に記憶しておくためのものである。
【００２４】
次に、本発明による商品購入システムについて説明する。
図５は、図３の購入品入れ１０が実際に店頭に設置されているときの一実施形態を示す図である。購入品入れ１０は、その店に設けられたインタフェース部３０上に重ねて配置されている。ここで、インタフェース部３０には充電器（図示せず）が設けられており、購入品入れ１０が設置されている間に、購入品入れ１０の電池１２が充電されるようになっている。
【００２５】
また、購入品入れ１０がインタフェース部３０上に設置されている時は、インタフェース部３０と購入品入れ１０のインタフェース部１３とが接続される。これにより、インタフェース部１３と３０との間で情報のやりとりが可能となっている。情報の授受方式としては、光学的、電気的又は磁気的等のいずれであっても良い。さらにインタフェース部３０は、店側の商品管理等を行うホストコンピュータ４０と情報の授受が可能となっている。
【００２６】
購入品入れ１０は、インタフェース部３０上においてロックされており、自由に持ち出しができない状態となっている。客は、購入品入れ１０のカードリーダ２３に、自己のカード２の磁気ストライプ２ａを読み取らせる（図６）。これにより、制御部２１は、そのカード２の所有者のＩＤ等を読み取り、その情報をインタフェース部１３からホストコンピュータ４０に伝送する。そして、購入品入れ１０のロックを解除する。
【００２７】
客は、購入品入れ１０を持ちながら、購入しようとする商品を購入品入れ１０の収納部１１内に入れる。図７は、このときの様子を示す図である。商品が購入品入れ１０に入れられる時に、センサ２２により商品のバーコード１が読み取られ、商品情報が認識される。そして、制御部２１は、メモリ２４に記憶されている情報の中から、その商品の価格を検索する。その商品の価格が認識されると、制御部２１は、その商品コード及び商品価格等を購入情報としてメモリ２４に記憶する。
【００２８】
さらに続いて別の商品が購入品入れ１０の収納部１１に入れられた時は、上述と同様に、商品のバーコード１が読み取られ、その商品の商品コードや商品価格が認識され、その情報がメモリ２４に記憶される。
なお、商品がセンサ２２を通過したにもかかわらず、バーコード１を読み取ることができなかったときは、ブザー等を鳴らしてその旨を表示し、再度、その商品のバーコード１を読み取らせるようにする。
【００２９】
メモリ２４に記憶された購入情報は、インタフェース部１３からホストコンピュータ４０に伝送される。ここで、この購入情報は、商品が収納部１１に入れられるごとに、又は一括してインタフェース部１３からホストコンピュータ４０に伝送されるか、あるいは購入品入れ１０のインタフェース部１３からインタフェース部３０に転送され、さらにこのインタフェース部３０からホストコンピュータ４０に伝送される。
【００３０】
ホストコンピュータ４０は、その購入情報とその客のＩＤとを対応づけて、そのカード２を発行する銀行に対して、その購入価格分の金額を請求する。銀行側では、その客の口座等からその購入価格分の金額を引き落として、店側にその金額を支払うようにする。また、ホストコンピュータ４０は、この情報に基づいて、商品の売り上げ等の集計を行う。
【００３１】
以上の動作により、購入品入れ１０の収納部１１に商品を入れることにより精算処理が行われるので、客は、精算場所に行って精算をする必要がない。また、店側では、精算処理を行うための者を常時準備しておく必要がない。
なお、商品の返品を受け付ける場所を設置しておき、商品の返品を可能としておくことが好ましい。例えば、特定の商品を返却したいときは、返品を受け付ける場所に商品を持って行き、返却ボタンを押すこと等により、その商品を返却できるようにすれば良い。このときは、メモリ２４に記憶された購入情報のうち、その返却した商品の購入情報を消去すれば良い。
客は、商品の購入が済んだときは、購入品入れ１０を元の場所に返却する。購入品入れ１０が返却され、上述の購入情報の伝送が終了したときは、メモリ２４に記憶された購入情報を消去する。
【００３２】
次に、本発明の他の実施形態について説明する。
（１）購入品入れ１０のカードリーダ２３がカード２の磁気ストライプ２ａを読み取った後に、制御部２１は、そのカード２の所有者のＩＤ等をホストコンピュータ４０に伝送する。ホストコンピュータ４０は、そのカード２の所有者ＩＤから、そのカード２の使用が可能であるか否かを判別する。例えば、以前に商品を購入した実績があるが、その代金が未だ支払われていない場合は、そのカード２の使用ができないと判別する。そして、ホストコンピュータ４０は、カード２の使用の可否を判別した情報を、購入品入れ１０（インタフェース部１３）に伝送する。購入品入れ１０にＬＣＤ等の表示部を設けておき、カード２の使用ができない旨の情報を受信したときは、その旨を表示部によって表示する。このときは、購入品入れ１０のロックを解除しない。一方、カード２の使用が可能である旨の情報を受信したときは、購入品入れ１０のロックを解除する。
【００３３】
（２）購入品入れ１０にカード２を挿入する挿入口を設けておき、購入品入れ１０を客が使用している間は、カード２が購入品入れ１０内に収納されるようにする。そして、客が商品の購入を終了し、購入情報がホストコンピュータ４０に伝送され、ホストコンピュータ４０が精算処理を終了したら、その終了した旨の情報を購入品入れ１０に伝送し、購入品入れ１０がこの情報を受信したときに、カード２を挿入口から返却するように制御する。さらには、購入品入れ１０が所定場所に返却されたときに、カード２を返却するようにしても良い。このようにすれば、使用後の購入品入れ１０が常に所定場所に戻されることとなる。
【００３４】
以上、本発明の一実施形態について説明したが、本発明は、上述した実施形態に限定されることなく、均等の範囲内で種々の変形が可能である。
例えば、商品に付する商品情報は、バーコード１に限ることなく、ＯＣＲや非接触式ＩＣを用いても良い。
また、実施形態では、購入品入れ１０をかご状に形成したが、精算処理部２０を設けることによって購入品入れ１０が重くなるときは、底面部にキャスター等を設けてカート状に形成しても良い。
【００３５】
【発明の効果】
本発明によれば、（１）商品が購入品入れに収納されることにより精算処理を行うことができるので、精算に要する時間を短縮することができる。また、店側では精算処理専用の者を常時準備しておく必要がない。これにより、人件費の削減を図ることができる。さらにまた、客の利便を向上させ、混雑の緩和を図ることができる。さらには、精算場所を確保する必要がなくなり、固定費を削減し、商品陳列のスペースをより広く確保することができる。また、購入品入れから伝送される購入情報に基づいて、精算処理を行うことができる。さらに、購入品入れが使用されているときの、カードの不正使用等を防止することができる。
（２）使用をすることができないカードであるときは、その旨を表示するので、客に注意を促すことができる。
【００３６】
（３）カードの使用が可能な場合にのみ購入品入れを客にわたすことができる。
（４）使用後の購入品入れが所定場所に返却されるようになる。
（５）購入品入れが使用されていないときに、電池を充電することができる。
【図面の簡単な説明】
【図１】本発明に用いられる商品の一実施形態を示す図である。
【図２】本発明に用いられるカードの一実施形態を示す図である。
【図３】本発明による購入品入れの一実施形態を示す外観図である。
【図４】精算処理部２０の電気的構成を示すブロック図である。
【図５】図３の購入品入れ１０が実際に店頭に設置されているときの一実施形態を示す図である。
【図６】購入品入れ１０により、カード２の情報が読み取られるときの様子を示す図である。
【図７】購入しようとする商品が購入品入れ１０の収納部１１内に入れられるときの様子を示す図である。
【符号の説明】
１  バーコード
２  カード
１０  購入品入れ
１１  収納部
１２  電池
１３  インタフェース部
２０  精算処理部
２１  制御部
２２  センサ
２３  カードリーダ
２４  メモリ
【図１】
0003753796.tif 000002
【図２】
0003753796.tif 000003
【図３】
0003753796.tif 000004
【図４】
0003753796.tif 000005
【図５】
0003753796.tif 000006
【図６】
0003753796.tif 000007
【図７】
0003753796.tif 000008